(57)【要約】【課題】画像および画像の一部の領域に対して付与された注釈情報を能率よく管理することが可能な画像処理システムを提供する。【解決手段】画像処理システムはデジタルカメラとパーソナルコンピュータより成る。デジタルカメラは、撮影した画像に注釈情報を付与して、画像ファイル、注釈ファイル、および画像と注釈の関連を記述した関連付けファイルを作成するとともに、注釈ファイルと関連付けファイルを１つのフォルダーに格納する。パーソナルコンピュータはそのフォルダーを画像ファイルと共に与えられて、関連付けファイルに記述されているファイルが全て存在するときに（＃１０３）、画像ファイル、注釈ファイルおよび関連付けファイルの内容を全て含んだ統合ファイルを作成する（＃１０４）。【選択図】      図９
2005026951.tif 000002
【特許請求の範囲】
【請求項１】
画像を撮影し、撮影した画像の一部の領域に注釈情報を付与する撮像装置と、撮像装置が撮影した画像および撮像装置が画像に付与した注釈情報を処理する処理装置より成る画像処理システムにおいて、
撮像装置が、撮影した画像を記録した画像ファイルと、撮影した画像に付与した注釈情報を記録した注釈ファイルと、撮影した画像と付与した注釈情報との関連を記述した関連付けファイルを作成して、注釈ファイルと関連付けファイルを画像ファイルに対応付けた第１のフォルダーに格納し、画像ファイルと第１のフォルダーを第２のフォルダーに格納し、
処理装置が、第２のフォルダーが指定されたときに、指定された第２のフォルダーに第１のフォルダーが存在するか否かを検索し、第１のフォルダーが存在すれば、その第１のフォルダーの中の関連付けファイルを参照して、関連付けファイルに記述されている全てのファイルがそれらの第１のフォルダーおよび第２のフォルダーに存在するか否かを検索し、全てのファイルが存在すれば、それらの全てのファイルの内容を含む統合ファイルを作成することを、指定された第２のフォルダーに存在する第１のフォルダーの各々について行う
ことを特徴とする画像処理システム。
【請求項２】
画像を撮影し、撮影した画像の一部の領域に注釈情報を付与する撮像装置と、撮像装置が撮影した画像および撮像装置が画像に付与した注釈情報を処理する処理装置より成る画像処理システムにおいて、
撮像装置が、撮影した画像を記録した画像ファイルと、撮影した画像に付与した注釈情報を記録した注釈ファイルと、撮影した画像と付与した注釈情報との関連を記述した関連付けファイルを作成して、注釈ファイルと関連付けファイルを画像ファイルに対応付けたフォルダーに格納し、
処理装置が、画像ファイルが指定されたときに、指定された画像ファイルに対応するフォルダーが存在するか否かを検索し、フォルダーが存在すれば、そのフォルダーの中の関連付けファイルを参照して、関連付けファイルに記述されているファイルのうち指定された画像ファイル以外の全てのファイルがそのフォルダーに存在するか否かを検索し、全てのファイルが存在すれば、指定された画像ファイルとそのフォルダーに格納されている全てのファイルの内容を含む統合ファイルを作成する
ことを特徴とする画像処理システム。
【請求項３】
処理装置が、統合ファイルを作成するか否かの指示を受け付けて、指示を与えられたときに統合ファイルを作成することを特徴とする請求項１または請求項２に記載の画像処理システム。
【請求項４】
処理装置が、関連付けファイルを参照できないとき、または、関連付けファイルに記述されているファイルのいずれかが存在しないときに、警告を発することを特徴とする請求項１または請求項２に記載の画像処理システム。
【請求項５】
画像を撮影し、撮影した画像の一部の領域に注釈情報を付与する第１の工程と、第１の工程で撮影した画像および画像に付与した注釈情報を処理する第２の工程より成る画像処理方法において、
第１の工程で、撮影した画像を記録した画像ファイルと、撮影した画像に付与した注釈情報を記録した注釈ファイルと、撮影した画像と付与した注釈情報との関連を記述した関連付けファイルを作成して、注釈ファイルと関連付けファイルを画像ファイルに対応付けた第１のフォルダーに格納し、画像ファイルと第１のフォルダーを第２のフォルダーに格納し、
第２の工程で、第２のフォルダーが指定されたときに、指定された第２のフォルダーに第１のフォルダーが存在するか否かを検索し、第１のフォルダーが存在すれば、その第１のフォルダーの中の関連付けファイルを参照して、関連付けファイルに記述されている全てのファイルがそれらの第１のフォルダーおよび第２のフォルダーに存在するか否かを検索し、全てのファイルが存在すれば、それらの全てのファイルの内容を含む統合ファイルを作成することを、指定された第２のフォルダーに存在する第１のフォルダーの各々について行う
ことを特徴とする画像処理方法。
【請求項６】
画像を撮影し、撮影した画像の一部の領域に注釈情報を付与する第１の工程と、第１の工程で撮影した画像および画像に付与した注釈情報を処理する第２の工程より成る画像処理方法において、
第１の工程で、撮影した画像を記録した画像ファイルと、撮影した画像に付与した注釈情報を記録した注釈ファイルと、撮影した画像と付与した注釈情報との関連を記述した関連付けファイルを作成して、注釈ファイルと関連付けファイルを画像ファイルに対応付けたフォルダーに格納し、
第２の工程で、画像ファイルが指定されたときに、指定された画像ファイルに対応するフォルダーが存在するか否かを検索し、フォルダーが存在すれば、そのフォルダーの中の関連付けファイルを参照して、関連付けファイルに記述されているファイルのうち指定された画像ファイル以外の全てのファイルがそのフォルダーに存在するか否かを検索し、全てのファイルが存在すれば、指定された画像ファイルとそのフォルダーに格納されている全てのファイルの内容を含む統合ファイルを作成する
ことを特徴とする画像処理方法。
【発明の詳細な説明】
【０００１】
【発明の属する技術分野】
本発明は、撮影した画像の一部の領域に対して注釈情報を付与する撮像装置と、注釈情報が付与された画像を処理する処理装置より成る画像処理システムに関する。
【０００２】
【従来の技術】
撮影した画像の一部の領域に注釈情報を付与して、画像が有する情報伝達の機能を高めるようにしたデジタルカメラが提案されている。使用者は、画像の任意の位置に任意の大きさの領域を設けて、画像、音声等を注釈情報として付与することができる。１つの画像に複数の注釈情報を付与することも可能である。
【０００３】
画像と注釈情報はそれぞれ別個のファイルに記録される。注釈情報がどの画像のどの領域に対して付与されたものであるかが明確でなければ注釈情報を利用することはできず、このため、画像と注釈情報の関連を記述した関連付けファイルが作成される。
【０００４】
画像を記録した画像ファイル、注釈情報を記憶した注釈ファイル、および関連付けファイルをデジタルカメラからパーソナルコンピュータに与えて、パーソナルコンピュータ上で画像を表示しながら注釈情報を再生することもできる。これら３種のファイルは別個のままで取り扱うことも可能であるが、デジタルカメラに比べて処理能力がはるかに高く、多数の画像や注釈情報を取り扱うことになるパーソナルコンピュータでは、そのようにするとファイルの数が多くなって管理が複雑になる。
【０００５】
したがって、パーソナルコンピュータ上では、１つの画像ファイルと、その画像に付与された全ての注釈情報の注釈ファイルと、それらの関連を記述した関連付けファイルの内容を全て含む１つの統合ファイルを作成することが好ましい。このような統合ファイルを作成すれば、ファイルの数は、各画像に付与されている注釈情報の数に関わらず、画像の数に等しくなって、必要最小限に抑えられる。
【０００６】
デジタルカメラで統合ファイルを作成しておくことも可能ではある。しかし、デジタルカメラの処理能力はパーソナルコンピュータに比べて低いため、統合ファイルの作成に時間を要して、撮影に支障が生じるという不都合を招く。また、電力消費が増して、撮影可能な時間が短くなるという問題も生じる。したがって、デジタルカメラで統合ファイルを作成することは実用的でなく、画像ファイル、注釈ファイルおよび関連付けファイルをデジタルカメラからパーソナルコンピュータに与えて、パーソナルコンピュータ上で統合ファイルを作成することになる。
【０００７】
【特許文献１】特開平１１−２２７２６５号公報
【０００８】
【発明が解決しようとする課題】
ところが、どの時点で、あるいはどのような条件のときに、統合ファイルを作成するかについての提案はこれまでなされておらず、デジタルカメラからパーソナルコンピュータに与える画像ファイル、注釈ファイルおよび関連付けファイルの形式をどのようにすれば統合ファイルの作成を能率よく行い得るかについての提案もない。
【０００９】
例えば、上記特許文献１では、パノラマ画像を構成する複数の画像データを合成して、パノラマ画像をプリントする技術が提案されているが、これは、画像を取り扱うという点では関連する技術であるものの、画像データと注釈情報とは異質のものであり、画像ファイル、注釈ファイルおよび関連付けファイルから統合ファイルを作成するための参考にはならない。
【００１０】
本発明はこのような問題点に鑑みてなされたもので、画像ファイル、注釈ファイルおよび関連付けファイルから統合ファイルを作成する能率のよい画像処理システム、およびその方法を提供することを目的とする。
【００１１】
【課題を解決するための手段】
上記目的を達成するために、本発明では、画像を撮影し、撮影した画像の一部の領域に注釈情報を付与する撮像装置と、撮像装置が撮影した画像および撮像装置が画像に付与した注釈情報を処理する処理装置より成る画像処理システムにおいて、撮像装置が、撮影した画像を記録した画像ファイルと、撮影した画像に付与した注釈情報を記録した注釈ファイルと、撮影した画像と付与した注釈情報との関連を記述した関連付けファイルを作成して、注釈ファイルと関連付けファイルを画像ファイルに対応付けた第１のフォルダーに格納し、画像ファイルと第１のフォルダーを第２のフォルダーに格納し、処理装置が、第２のフォルダーが指定されたときに、指定された第２のフォルダーに第１のフォルダーが存在するか否かを検索し、第１のフォルダーが存在すれば、その第１のフォルダーの中の関連付けファイルを参照して、関連付けファイルに記述されている全てのファイルがそれらの第１のフォルダーおよび第２のフォルダーに存在するか否かを検索し、全てのファイルが存在すれば、それらの全てのファイルの内容を含む統合ファイルを作成することを、指定された第２のフォルダーに存在する第１のフォルダーの各々について行うようにする。
【００１２】
撮像装置では、１つの画像に付与された注釈情報は、個別の注釈ファイルに記録されて、その画像の画像ファイルに対応付けられた第１のフォルダーに格納される。また、画像と各注釈情報の関連を記述した関連付けファイルが注釈ファイルを格納した第１のフォルダーに格納される。さらに、画像ファイルと第１のフォルダーが第２のフォルダーに格納される。処理装置では、第２のフォルダーが指定されて、その第２のフォルダーに含まれる第１のフォルダーの各々について統合ファイルが作成される。
【００１３】
統合ファイルは、第１のフォルダーに関連付けファイルが存在し、かつ、関連づけファイルに記述されているファイルが全て第１のフォルダーまたは第２のフォルダーに存在するときに作成される（注釈ファイルは第１のフォルダーに、画像ファイルは第２のフォルダーに格納されている）。すなわち、第２のファイルに画像ファイルが存在し、これに対応する第１のフォルダーが存在しないときは、統合ファイルは作成されず、また、使用者の誤操作等によって、関連付けファイルに記述されているファイルのいずれかが消去されているときも、統合ファイルは作成されない。したがって、作成不可能な統合ファイルや不完全な統合ファイルを作成することを回避することができる。また、第２のフォルダーに存在する全ての第１のフォルダーについて、一度に統合ファイルが作成されるから、能率がよい。
【００１４】
本発明ではまた、画像を撮影し、撮影した画像の一部の領域に注釈情報を付与する撮像装置と、撮像装置が撮影した画像および撮像装置が画像に付与した注釈情報を処理する処理装置より成る画像処理システムにおいて、撮像装置が、撮影した画像を記録した画像ファイルと、撮影した画像に付与した注釈情報を記録した注釈ファイルと、撮影した画像と付与した注釈情報との関連を記述した関連付けファイルを作成して、注釈ファイルと関連付けファイルを画像ファイルに対応付けたフォルダーに格納し、処理装置が、画像ファイルが指定されたときに、指定された画像ファイルに対応するフォルダーが存在するか否かを検索し、フォルダーが存在すれば、そのフォルダーの中の関連付けファイルを参照して、関連付けファイルに記述されているファイルのうち指定された画像ファイル以外の全てのファイルがそのフォルダーに存在するか否かを検索し、全てのファイルが存在すれば、指定された画像ファイルとそのフォルダーに格納されている全てのファイルの内容を含む統合ファイルを作成するようにする。
【００１５】
この画像処理システムでは、指定された画像ファイルについて統合ファイルを作成する。画像ファイルと対応するフォルダー（上記第１のフォルダー）が同じフォルダー（上記第２のフォルダー）に複数格納されており、そのうちの一部の画像ファイルについてのみ統合ファイルを作成することを使用者が望む場合は、このように画像ファイルを指定することで、不要な統合ファイルの作成を避けることができる。
【００１６】
処理装置が、統合ファイルを作成するか否かの指示を受け付けて、指示を与えられたときに統合ファイルを作成するようにしてもよい。このようにすると、使用者が注釈情報の再生を望む画像についてのみ統合ファイルを作成することができる。
【００１７】
処理装置が、関連付けファイルを参照できないとき、または、関連付けファイルに記述されているファイルのいずれかが存在しないときに、警告を発するようにしてもよい。統合ファイルが作成されないことが使用者に判り、対処が容易になる。
【００１８】
前記目的を達成するために、本発明ではまた、画像を撮影し、撮影した画像の一部の領域に注釈情報を付与する第１の工程と、第１の工程で撮影した画像および画像に付与した注釈情報を処理する第２の工程より成る画像処理方法において、第１の工程で、撮影した画像を記録した画像ファイルと、撮影した画像に付与した注釈情報を記録した注釈ファイルと、撮影した画像と付与した注釈情報との関連を記述した関連付けファイルを作成して、注釈ファイルと関連付けファイルを画像ファイルに対応付けた第１のフォルダーに格納し、画像ファイルと第１のフォルダーを第２のフォルダーに格納し、第２の工程で、第２のフォルダーが指定されたときに、指定された第２のフォルダーに第１のフォルダーが存在するか否かを検索し、第１のフォルダーが存在すれば、その第１のフォルダーの中の関連付けファイルを参照して、関連付けファイルに記述されている全てのファイルがそれらの第１のフォルダーおよび第２のフォルダーに存在するか否かを検索し、全てのファイルが存在すれば、それらの全てのファイルの内容を含む統合ファイルを作成することを、指定された第２のフォルダーに存在する第１のフォルダーの各々について行うようにする。
【００１９】
第１の工程では、１つの画像に付与された注釈情報は、個別の注釈ファイルに記録されて、その画像の画像ファイルに対応付けられた第１のフォルダーに格納される。また、画像と各注釈情報の関連を記述した関連付けファイルが注釈ファイルを格納した第１のフォルダーに格納される。さらに、画像ファイルと第１のフォルダーが第２のフォルダーに格納される。第２の工程では、第２のフォルダーが指定されて、その第２のフォルダーに含まれる第１のフォルダーの各々について統合ファイルが作成される。
【００２０】
統合ファイルは、第１のフォルダーに関連付けファイルが存在し、かつ、関連づけファイルに記述されているファイルが全て第１のフォルダーまたは第２のフォルダーに存在するときに作成される。すなわち、第２のファイルに画像ファイルが存在し、これに対応する第１のフォルダーが存在しないときは、統合ファイルは作成されず、また、使用者の誤操作等によって、関連付けファイルに記述されているファイルのいずれかが消去されているときも、統合ファイルは作成されない。したがって、作成不可能な統合ファイルや不完全な統合ファイルを作成することを回避することができる。また、第２のフォルダーに存在する全ての第１のフォルダーについて、一度に統合ファイルが作成されるから、能率がよい。
【００２１】
本発明ではまた、画像を撮影し、撮影した画像の一部の領域に注釈情報を付与する第１の工程と、第１の工程で撮影した画像および画像に付与した注釈情報を処理する第２の工程より成る画像処理方法において、第１の工程で、撮影した画像を記録した画像ファイルと、撮影した画像に付与した注釈情報を記録した注釈ファイルと、撮影した画像と付与した注釈情報との関連を記述した関連付けファイルを作成して、注釈ファイルと関連付けファイルを画像ファイルに対応付けたフォルダーに格納し、第２の工程で、画像ファイルが指定されたときに、指定された画像ファイルに対応するフォルダーが存在するか否かを検索し、フォルダーが存在すれば、そのフォルダーの中の関連付けファイルを参照して、関連付けファイルに記述されているファイルのうち指定された画像ファイル以外の全てのファイルがそのフォルダーに存在するか否かを検索し、全てのファイルが存在すれば、指定された画像ファイルとそのフォルダーに格納されている全てのファイルの内容を含む統合ファイルを作成するようにする。
【００２２】
この画像処理方法では、指定された画像ファイルについて統合ファイルを作成する。画像ファイルと対応するフォルダーが同じフォルダーに複数格納されており、そのうちの一部の画像ファイルについてのみ統合ファイルを作成することを使用者が望む場合は、このように画像ファイルを指定することで、不要な統合ファイルの作成を避けることができる。
【００２３】
【発明の実施の形態】
以下、本発明の一実施形態の画像処理システムについて図面を参照しながら説明する。本実施形態の画像処理システムを構成する撮像装置としてのデジタルカメラ１００を図１に示し、処理装置としてのパーソナルコンピュータ２００を、図２にそれぞれ示す。
【００２４】
図１において（ａ）、（ｂ）はそれぞれデジタルカメラ１００の斜視図および背面図である。デジタルカメラ１００は、前面に撮影レンズ１およびマイクロフォン２、側面に半導体メモリ内蔵のメモリカード６を装着するための挿入口７、背面に液晶表示器１１、スピーカー１２および種々の操作部材１３〜１５を備えている。デジタルカメラ１００は、ＣＣＤエリアセンサを内蔵しており、撮影対象からの光を撮影レンズ１でＣＣＤセンサ上に結像させて、電気信号に変換することにより画像を撮影する。撮影した画像には、使用者が指定する領域に、画像または音声の注釈情報（アノテーション）を付与することができる。
【００２５】
以下、アノテーションとしての画像をアノテーション画像、アノテーションとしての音声をアノテーション音声とよぶ。また、アノテーションが付与された画像およびアノテーションが付与される画像を親画像ともよぶ。アノテーション画像は、他の画像と同様に、撮影によって得られる。アノテーション画像を含む全ての画像は、液晶表示器１１に表示することができる。アノテーション音声はマイクロフォン２によって検出されて録音される。アノテーション音声はスピーカー１２から再生することができる。
【００２６】
パーソナルコンピュータ２００は、ＣＰＵ、ハードディスク等を内蔵した本体と、その上に設けられた表示部のほか、図示しないキーボードおよびマウスを備えており、また、プリンタを接続することもできる。本体には、光ディスク６１およびメモリカード６を装着することが可能である。パーソナルコンピュータ２００は、画像を撮影することはできないが、デジタルカメラ１００によって撮影された画像を表示したり、画像に付与されているアノテーションを再生したりすることができる。パーソナルコンピュータ２００で画像の一部の領域にアノテーションを付与することも可能である。
【００２７】
画像とアノテーションに関する処理を記したプログラムは光ディスク６１に記録されており、パーソナルコンピュータ２００はそのプログラムを内蔵のハードディスクに複写して使用する。画像やアノテーションは、メモリカード６に記録されて、またはデジタルカメラ１００とパーソナルコンピュータを接続するケーブルを介して、提供される。なお、インターネット上のウェブサイトからのダウンロード、あるいは電子メールの添付ファイルとして、プログラムや画像を取得することも可能である。
【００２８】
パーソナルコンピュータ２００が、画像とアノテーションに関して表示部に表示するウインドウの構成を図３に示す。画像とアノテーションに関するウィンドウには、インデックスウインドウ７１、アノテーションウインドウ７２、および印刷プレビューウインドウ７３があり、これらのウインドウが処理に応じて開かれる。インデックスウインドウ７１、アノテーションウインドウ７２、および印刷プレビューウインドウ７３の例をそれぞれ図４、図５および図６に示す。
【００２９】
インデックスウインドウ７１（図４）は、サムネイル画像表示領域７１ａ、およびフォルダーツリー表示領域７１ｂを有する。アノテーションウインドウ７２（図５）は、親画像表示領域７２ａ、アノテーション作成領域７２ｂ、およびアノテーション表示領域７２ｃを有する。また、印刷プレビューウインドウ７３（図６）は、印刷プレビュー表示領域７３ａ、および印刷アノテーション選択領域７３ｂを有する。
【００３０】
インデックスウインドウ７１では、フォルダーツリー領域７１ｂで選択されたフォルダー内の画像ファイルのサムネイル画像をサムネイル画像表示領域７１ａに並べて表示する。使用者が、表示されたサムネイル画像のいずれかを選択して、画面上部のメニューからアノテーションの付与、再生を指示するコマンドを選んで実行したり、サムネイル画像をマウスでダブルクリックしたりすると、アノテーションウインドウ７２が開き、その画像が親画像表示領域７２ａに表示される。図５は、図４のサムネイル画像７７が選択されたときのものである。
【００３１】
アノテーションウインドウ７２では、親画像表示領域７２ａで親画像に領域を設定し、その領域に対してアノテーションを付与することができる。アノテーションはアノテーション作成領域７２ｂで作成する。デジタルカメラ１００で画像に付与するアノテーションは画像と音声であるが、パーソナルコンピュータ２００では、文字のアノテーションを付与することも可能である。アノテーションとしての文字列をアノテーション文字列とよぶ。アノテーション文字列を付与する場合は、その文字列をアノテーション作成領域７２ｂに書き込み、アノテーション画像やアノテーション音声を付与する場合は、アノテーション作成領域７２ｂに表示される画像ファイルや音声ファイルを選択する。決定されたアノテーションはアノテーション表示領域７２ｃに表示される。
【００３２】
このようにしてアノテーションを付与された親画像およびそのアノテーションは、画面上部のメニューから記録を指示するコマンド選んで実行することで、ファイルに記録することができる。このファイルは、１つの親画像に対して１つ作成され、画像と１以上のアノテーションと、画像とアノテーションとの関連（ファイル名、領域の位置や大きさ等）を示す情報とを含む統合ファイルである。以下、このような統合ファイルをｍｄｍファイルともよぶ。
【００３３】
インデックスウインドウ７１に表示するサムネイル画像は、ＪＰＥＧ、ＢＭＰ、ＴＩＦＦ（それぞれ拡張子ｊｐｇ、ｂｍｐ、ｔｉｆ）等の通常の書式の画像ファイルと、ｍｄｍファイルのものである。通常の画像ファイルの場合は、そのサムネイル画像を表示し、ｍｄｍファイルの場合は、その中の親画像のサムネイル画像を表示する。サムネイル画像を表示する処理の流れを図７に示す。
【００３４】
パーソナルコンピュータ２００は、デジタルカメラ１００で撮影された画像および画像に付与されているアノテーションをｍｄｍファイルに記録する機能を有する。デジタルカメラ１００では、親画像を記録した画像ファイルとアノテーションを記録したアノテーションファイルを別個に作成し、また、親画像とその全てのアノテーションとの関連を示す情報とを記した関連付けファイルを作成する。
【００３５】
デジタルカメラ１００におけるファイルフォルダーの構成を図８に示す。この例では、Ｐｉｃｔ０００１．ｊｐｇとＰｉｃｔ０００４．ｊｐｇとが親画像のファイルとなっている。これらのファイルはＤＣＦ（デジタルカメラフォーマット）フォルダーである１００ＭＬＴ０９内に置かれており、さらにアノテーションフォルダーＡｎｎ０００１とＡｎｎ０００４がフォルダー１００ＭＬＴ０９内に存在する。アノテーションフォルダーの番号０００１、０００４はそれぞれ、親画像のファイルＰｉｃｔ０００１．ｊｐｇ、Ｐｉｃｔ０００４．ｊｐｇの番号部分と同じであり、これにより親画像とアノテーションフォルダーとの対応付けがなされている。
【００３６】
各アノテーションフォルダー内には、関連付けファイル、アノテーション画像ファイル、アノテーション音声ファイルが格納されている。例えば、フォルダーＡｎｎ０００１については、Ａｎｎ０００１．ｔｘｔが関連付けファイルであり、Ａｎｎ０００１．ｊｐｇとＡｎｎ０００２．ｊｐｇの２つがアノテーション画像ファイル、Ａｎｎ０００１．ｗａｖ、Ａｎｎ０００２．ｗａｖの２つがアノテーション音声ファイルである。
【００３７】
関連付けファイルの内容を表１に示す。なお、項目３〜６は、親画像に付与されているアノテーションの数だけ存在する。
＜表１＞  関連付けファイル
項目    内容
１    親画像ファイル名
２    親画像ファイル作成日時
３    アノテーション領域位置情報（左上角の座標）
４    アノテーション領域サイズ情報（縦方向および横方向の幅）
５    アノテーションファイル名
６    アノテーションファイル作成日時
【００３８】
パーソナルコンピュータ２００では、デジタルカメラ１００から親画像の画像ファイルと共に与えられるアノテーションフォルダーおよびその中の関連付けファイルを参照して、ｍｄｍファイルを作成する。ｍｄｍファイルの作成処理の流れを図９に示す。
【００３９】
インデックスウインドウ７１上のフォルダーツリーで選択されたフォルダーの直下にアノテーションフォルダーが存在し、かつ、そのアノテーションフォルダー内に関連付けファイルが存在し、かつ、その関連付けファイルに記述されている全てのファイルがアノテーションフォルダーまたは選択されたフォルダー内に存在する場合にのみ（ステップ＃１０１〜＃１０３）、ｍｄｍファイルを作成する（＃１０４）。ここで、選択されたフォルダーも調べるのは、図８に示したように、アノテーションフォルダーに対応する親画像ファイルは、アノテーションフォルダーと並列に、選択されたフォルダーに格納されているからである。
【００４０】
ｍｄｍファイルを作成したら、その関連付けファイルを消去する（＃１０５）。これは、次回以降、このフォルダーを選択したときに、ｍｄｍファイルを作成しないようにするためである。また、ｍｄｍファイルを作成した後は、例えば図１０のメッセージを表示して、作成したｍｄｍファイルがどのフォルダーに格納されているかが判るようにする（＃１０６）。アノテーションフォルダーは存在したが、関連付けファイルや関連付けファイルに記述されているファイルが存在しないためにｍｄｍファイルを作成しなかった場合は、例えば図１１のメッセージを表示して、その旨を知らせる（＃１０７）。アノテーションフォルダーが存在しない場合は、何のメッセージも表示しない。これは、ｍｄｍファイルの作成そのものが必要ないからである。
【００４１】
図８に示した例のように、選択されたフォルダーに複数のアノテーションフォルダーが存在する場合、アノテーションフォルダーごとにステップ＃１０１〜＃１０７の処理を行う。これで、複数の画像ファイルについてｍｄｍファイルを一度に作成することができる。なお、その場合、ｍｄｍファイルは親画像ごとに個別に作成する。
【００４２】
上記の処理では、フォルダーを指定するだけでｍｄｍファイルが自動的に作成されるので、能率がよく、また、デジタルカメラ１００で作成したファイルを気づかない消去してしまうという使用者の不安を軽減することができる。ただし、使用者が望まない親画像についてまで、ｍｄｍファイルを作成することがある。これは、ｍｄｍファイルを作成するか否かの指示を受け付けて、作成の指示を与えられたときのみに作成することで、避けることができる。また、フォルダーに代えて画像ファイルを指定するようにすることでも避けることができる。
【００４３】
指定された画像ファイルについてｍｄｍファイルを作成する処理の流れを図１２に示す。使用者が、インデックスウインドウ７１でサムネイル画像を選択して、メニューからアノテーションの付与、再生を指示するコマンドを選んで実行したり、サムネイル画像をマウスでダブルクリックしたりした場合、その画像がデジタルカメラ１００内で関連付けられた親画像であるか否かを判別する（ステップ＃１１１）。デジタルカメラ１００で関連付けられた画像ファイルや音声ファイルには、そのタグ（ヘッダー）に、親画像、アノテーション画像、アノテーション音声等の属性を示す情報が記されており、これを参照することで親画像であるか否かが判る。親画像の場合は、例えば図１３のようなメッセージを表示して（＃１１２）、ｍｄｍファイルを作成するか否かの指示を受け付ける（＃１１３）。
【００４４】
作成が指示されたときは、親画像ファイルが格納されているフォルダーにアノテーションフォルダーが存在し、かつ、そのアノテーションフォルダーに関連付けファイルが存在し、かつ、関連付けファイルに記述されている全てのファイルが存在する場合のみに（＃１１４〜＃１１６）、ｍｄｍファイルを作成する（＃１１７）。ｍｄｍファイルの作成後、例えば図１０のメッセージを表示して、作成したｍｄｍファイルがどのフォルダーに格納されているかが判るようにする（＃１１８）。そして、作成したｍｄｍファイルをアノテーションウインドウ７２に開く（＃１１９）。
【００４５】
アノテーションフォルダーは存在したが、関連付けファイルや関連付けファイルに記述されているファイルが存在しないためにｍｄｍファイルを作成しなかった場合は、例えば図１１のメッセージを表示して、その旨を知らせる（＃１２０）。そして、そのファイルを新たにアノテーションを付与する親画像としてアノテーションウインドウ７２に開く（＃１２１）。ステップ＃１１１の判定で親画像でなかったときも、そのファイルを新たにアノテーションを付与する親画像としてアノテーションウインドウ７２に開く。
【００４６】
アノテーションウインドウ７２において画面上部のメニューから印刷プレビューを指示するコマンド選択して実行すると、印刷プレービューウインドウ７３が開き、アノテーションウインドウ７２または印刷プレビューウインドウ７３において、画面上部のメニューから印刷を指示するコマンドを選択して実行すると、シートへの印刷がなされる。
【００４７】
印刷出力の例を図１４に示す。印刷は２ページにわたっている。８１は親画像であり、親画像８１上にアノテーションが付与されている領域８２、８３、８４が表されている。８５、８６、８７は、それぞれ領域８２、８３、８４の画像（親画像の一部）である。８８、８９はそれぞれ領域８２に付与されているアノテーション画像およびアノテーション文字列であり、９０、９１はそれぞれ領域８３に付与されているアノテーション画像およびアノテーション文字列である。また、９２は領域８４に付与されているアノテーション音声の音声ファイルである。
【００４８】
このように、印刷では、親画像、親画像のうちのアノテーションを付与された領域の画像、および付与されているアノテーション画像、アノテーション文字列を表すことができるが、パーソナルコンピュータ２００では、印刷プレビューウインドウ７３において、印刷するアノテーションを選択することが可能である。印刷プレビューウインドウ７３（図６）には、前述のように、印刷アノテーション選択領域７３ｂが設けられており、ここに、親画像に付与されている全てのアノテーションが表示される。各アノテーションに対応してチックボックスが表示され、使用者はマウスの操作でチェックボックスを選択する（塗りつぶし表示にする）ことで、印刷するアノテーションを選択する。図６の例では、上から１番目と３番目のアノテーションが選択されており、これらが印刷プレビュー領域７３ａに表示されている。
【００４９】
印刷するアノテーションを選択する処理の流れを図１５に示す。親画像とアノテーションが付与されている領域を印刷プレビュー領域７３ａに表示するとともに、付与されている全てのアノテーションを印刷アノテーション選択領域７３ｂに表示する（ステップ＃１３１）。そして、アノテーション（チェックボックス）の選択を受け付け（＃１３２）、選択されたアノテーションを印刷プレビュー領域７３ａの表示に加える（＃１３３）。アノテーションの選択が取り消されたとき（チェックボックスが空白表示に戻されたとき）には、印刷プレビュー領域７３ａの表示からそのアノテーションを除く。
【００５０】
【発明の効果】
本発明の画像処理システムおよび画像処理プログラムによれば、統合ファイルの作成のために、注釈ファイルおよび関連付けファイルを格納したフォルダー（第１のフォルダー）を画像データと共に別のフォルダー（第２のフォルダー）に格納して、撮像装置から処理装置に、または第１の工程から第２の工程に渡すだけでよく、その操作が容易であり、統合ファイルを自動的に作成することも可能である。しかも、作成不可能な統合ファイルや不完全な統合ファイルを作成しようとする無駄を回避することができる。第２のフォルダーを指定されて統合ファイルを作成する設定では、一度に複数の画像ファイルについて統合ファイルを作成することができて能率がよく、画像ファイルを指定されて統合ファイルを作成する設定では、不要な統合ファイルの作成を避けることができる。
【００５１】
処理装置が、統合ファイルを作成するか否かの指示を受け付けて、指示を与えられたときに統合ファイルを作成するようにすると、使用者が注釈情報の再生を望む画像についてのみ統合ファイルを作成することができて、無駄がない。
【００５２】
処理装置が、関連付けファイルを参照できないとき、または、関連付けファイルに記述されているファイルのいずれかが存在しないときに、警告を発するようにすると、統合ファイルが作成されないことが使用者に判り、対処が容易になる。
【図面の簡単な説明】
【図１】画像処理システムを構成する撮像装置としてのデジタルカメラを示す図。
【図２】画像処理システムを構成する処理装置としてパーソナルコンピュータを示す図。
【図３】パーソナルコンピュータが画像とアノテーションに関して表示するウインドウの構成を示す図。
【図４】パーソナルコンピュータが表示するインデックスウインドウの例を示す図。
【図５】パーソナルコンピュータが表示するアノテーションウインドウの例を示す図。
【図６】パーソナルコンピュータが表示する印刷プレビューウインドウの例を示す図。
【図７】パーソナルコンピュータにおけるサムネイル画像を表示する処理の流れを示すフローチャート。
【図８】デジタルカメラにおけるファイルフォルダーの構成を示す図。
【図９】パーソナルコンピュータにおけるｍｄｍファイルの作成処理の流れを示すフローチャート。
【図１０】パーソナルコンピュータがｍｄｍファイルの作成後に表示するメッセージの例を示す図。
【図１１】パーソナルコンピュータがｍｄｍファイルを作成しないときに表示する警告メッセージの例を示す図。
【図１２】パーソナルコンピュータにおけるｍｄｍファイルの別の作成処理の流れを示すフローチャート。
【図１３】パーソナルコンピュータがｍｄｍファイルの作成前に表示するメッセージの例を示す図。
【図１４】パーソナルコンピュータによる印刷出力の例を示す図。
【図１５】パーソナルコンピュータにおける印刷するアノテーションを選択する処理の流れを示すフローチャート。
【符号の説明】
１００    デジタルカメラ
１    撮影レンズ
２    マイクロフォン
６    メモリカード
７    メモリカード挿入口
１１    液晶表示器
１２    スピーカー
１３〜１５  操作部材
２００    パーソナルコンピュータ
６１    光ディスク
７１    インデックスウインドウ
７１ａ  サムネイル画像表示領域
７１ｂ  フォルダーツリー表示領域
７２    アノテーションウインドウ
７２ａ  親画像表示領域
７２ｂ  アノテーション作成領域
７２ｃ  アノテーション表示領域
７３    印刷プレビューウインドウ
７３ａ  印刷プレビュー表示領域
７３ｂ  印刷アノテーション選択領域
７７    サムネイル画像
８１    親画像
８２〜８４  親画像領域
８５〜８７  親画像領域部分
８８〜９２  アノテーション
【図１】
2005026951.tif 000003
【図２】
2005026951.tif 000004
【図３】
2005026951.tif 000005
【図４】
2005026951.tif 000006
【図５】
2005026951.tif 000007
【図６】
2005026951.tif 000008
【図７】
2005026951.tif 000009
【図８】
2005026951.tif 000010
【図９】
2005026951.tif 000011
【図１０】
2005026951.tif 000012
【図１１】
2005026951.tif 000013
【図１２】
2005026951.tif 000014
【図１３】
2005026951.tif 000015
【図１４】
2005026951.tif 000016
【図１５】
2005026951.tif 000017